(57)【特許請求の範囲】
【請求項１】
壁紙の裏面に糊を塗布する自動壁紙糊付機において、
壁紙の搬送経路に設置された少なくとも検尺ローラー、押さえローラー、ハイテンションローラーを含む各ローラーに発生した静電気を金属フレーム又は導電性樹脂フレームに逃がす手段として、ローラーの軸受け部材を導電性樹脂とし、
ローラー軸と金属フレーム又は導電性樹脂フレームとを導電性のバネで接続し、
自動壁紙糊付機内部に発生した静電気が予め定めた一定電圧以上に帯電した時に、その静電気を商用電源に逃がす手段を有し、上記手段として、金属フレーム又は導電性樹脂フレームと商用電源とをサージ吸収素子で接続されている
ことを特徴とする自動壁紙糊付機。
【発明の詳細な説明】
【０００１】
【産業上の利用分野】
本発明は自動壁紙糊付機の関するものである。さらに詳しくはローラーに発生する静電気を逃がす経路を設けて、放電による誤作動をなくし、また作業者が恐怖を感じるたりすることがないようにするものである。
【０００２】
【従来の技術】
従来より知られている自動壁紙糊付機の概略構成を図５に示す。自動壁紙糊付機にはクロス（壁紙）を挿入する側から、検尺ローラー（５）、送り出しローラー（１１）、ハイテンションローラー（４）、ドクターローラー（１０）、糊付ローラー（８）、糊上ローラー（９）、押えローラー（６）、ナラシローラー（７）が配置されている。糊付される壁紙（Ａ）は、検尺ローラー（５）と送り出しローラー（１１）の２本のゴムローラーによって挟まれて、糊付機本体内に送り込まれる。
【０００３】
検尺ローラー（５）は両端で支持されており、自由に回転することができる。また、このローラーはバネによってクロス表面に押し付けられており、壁紙（Ａ）の送り方向にあわせて一方向に回転する。
【０００４】
この検尺ローラー（５）の外径を一定値にしておくことにより、ローラーの回転量を何らかの手段（円周を等分割したスリット板をセンサーで検出する等）で測定して、ローラーの外周の１点が円周上で移動した距離、即ち送り込まれた壁紙（Ａ）の長さを得ることができる。この情報は、常時糊付機操作部に表示されており、作業者は状況を見ながら作業することができる。あらかじめ設定しておいた長さに到達すると、糊付機は自動で停止する。
【０００５】
機械停止後、作業者はカッターガイド（３０）に沿ってカッターナイフの刃を走らせて、壁紙（Ａ）を切断し、目的の長さの糊付けされた壁紙（Ａ）を得る。
【０００６】
ドクターローラー（１０）と糊付ローラー（８）の間隔を調整することにより、糊付ローラー（８）の外周に付着する糊の厚みを調整すなわち、壁紙（Ａ）への糊付量を調整する。厚みをコントロールされた糊の層が壁紙（Ａ）に接触し、壁紙（Ａ）の裏面に糊を転写する。糊は、本体下部に設けられた糊箱（３１）に貯えられている。糊上ローラー（９）によって糊箱（３１）内の糊が糊付ローラー（８）に転写される。糊の補給は、糊箱（３１）を引き出し、上方に生じる開口部から柄杓等を用いて糊を投入すること、あるいは自動糊供給装置によって行うのである。
【０００７】
糊付された壁紙（Ａ）はナラシローラー（７）によって転写された糊を均し、本体前面より排出されて出てくる。ハイテンションローラー（４）、押えローラー（６）は糊付を均一にし、壁紙（Ａ）の搬送をスムーズに行う働きをするのである。
【０００８】
糊付機の洗浄時には、糊箱（３１）に残っている糊をバケツ等へ戻し、ナラシローラー（７）と送り出しローラー（１１）を離脱させておいてから水を含ませたスポンジ等で糊付ローラー（８）やドクターローラー（１０）を洗うのが通例である。
【０００９】
【従来技術とその課題】
壁紙（Ａ）を糊付する際すなわちローラーで搬送する際に、壁紙とローラーの摩擦により静電気が発生する。発生する静電気の量は、壁紙の材質、ローラーの材質、壁紙を排出する速度、一度に排出する壁紙の長さにより変わり、また、その時の周囲の環境にも左右され特に冬、春の乾燥期に多く発生する。
【００１０】
壁紙の材質には、紙壁紙、織物壁紙、ビニル壁紙、木質壁紙、無機質壁紙があり、紙壁紙は比較的、静電気の発生は少ないが、ビニル壁紙、無機質壁紙は静電気の発生が特に多い。
【００１２】
壁紙糊付機に使用するローラーの材質には、それぞれの役割に応じてゴムローラー、ステンレスローラー、アルミローラー、カーボンローラー等があり、いずれのローラーでも静電気は発生するが、ゴムローラーの場合は特に静電気の発生が多いのである。
【００１３】
また、ローラーの材質だけでなく、壁紙を移動させる速度にも静電気を発生させる要因がある。壁紙を排出する速度については、近年、自動壁紙糊付機の糊付動作の高速化が進み、更に、自動壁紙糊付機の小型化によりローラーの径が小さくなったことと相俟って、ローラーが壁紙と接触する速度が速くなり多量の静電気が発生している。
【００１４】
一方、自動壁紙糊付機のローラーの軸受けは、安価ですべり易い材料を使用したい為に、樹脂製の軸受けを使用しているものがほとんどである。この様な自動壁紙糊付機において、壁紙をローラーで搬送する際に、壁紙とローラーの摩擦により発生した静電気により、ローラーのみが帯電する。
【００１５】
ローラーに発生した静電気を空中に放電するローラーも使用されているが、このローラーにも、単位時間当たりの放電量に限界があり、短時間に多量の静電気が発生すれば、やはりローラーが帯電した状態になる。各ローラーの帯電量は、ローラーの金属部（軸）と自動壁紙糊付機の金属フレームとの距離によって定まる。つまりはその距離が長くなればローラーの帯電量が増えるのである。
【００１６】
ほとんどの自動壁紙糊付機では、ローラーの金属部（軸）と自動壁紙糊付機の金属フレームとの距離が、数ミリから十数ミリである為、ローラーが数ｋＶから十数ｋＶ又は数十ｋＶに帯電すると自動壁紙糊付機の金属フレームへの放電が発生ずる。
【００１７】
数ｋＶから十数ｋＶ又は数十ｋＶもの静電気が放電すれば、これが電磁ノイズとなり、自動壁紙糊付機を制御する制御部の電子部品、例えば、マイコン等が誤動作することもあり、また、ローラーから火花が飛び、バチッという音がし、作業者が恐怖を感じることも多い。
【００１８】
静電気の放電を防止する方法としては、自動壁紙糊付機の回転しているローラーの軸受けと、金属フレームとを電線（アース線）で接続し、ローラーに発生した静電気を金属フレームに逃がし、金属フレームから糊付作業現場の最寄りのアース（地球に接続されている端子）に接続し、地球に逃がす方法を用いている場合が多いが、回転しているローラーの軸と、金属フレームとを接続している電線（アース線）が回転しているローラーの軸との摩擦により摩耗してしまう事もあり、ローラーに発生した静電気を金属フレームに逃がすという効果を発揮できないことが多い。
【００１９】
また、自動壁紙糊付機の金属フレーム部分から糊付作業現場の最寄りのアース（地球に接続されている端子）に接続し、静電気を地球に逃がす方法を使用している自動壁紙糊付機においては、実際の壁紙糊付現場では、部屋の中での作業がほとんどで、アース線を接続する為の配線（アース端子）又はアース線を接続する部分（家屋等の金属部分）が最寄りに無い為、アース線を接続せずに作業する場合が多く、この方法の効果を発揮できない。
【００２０】
この様に、アース線を接続できない（できる状況であったとしてもアース線を接続しないケースもある）状況下で、唯一、静電気を逃がす経路は、マンションの様に、コンクリートの床の上に自動壁紙糊付機を置いて、糊付作業をする現場では、自動壁紙糊付機の脚からコンクリートを経て大地へ逃がす方法が考えられる。しかし、自動壁紙糊付機は、新築の家屋の部屋、廊下などを移動する際、床を傷つけたり汚したりしない様に、弾力のあるゴムのキャスターを取り付けている為に床とは絶縁した状態となっており帯電した静電気を脚から逃がすという方法も効果を充分に発揮できない。
【００２１】
また、導電性ゴムでキャスターを作る方法も考えられるが、この方法でも、木造建築では、床が木製の為、この方法も効果を充分に発揮できない。
【００２２】
以上の様に、色々な壁紙の糊付現場の状況に対応できる方法で、自動壁紙糊付機内部で発生した静電気を逃がす手段を有した自動壁紙糊付機は発明されていない。
【００２３】
【課題を解決する手段】
上記の課題を解決する手段として、請求項１の自動糊付機は、壁紙の裏面に糊を塗布する自動壁紙糊付機において、壁紙の搬送経路に設置された少なくとも検尺ローラー、押さえローラー、ハイテンションローラーを含む各ローラーに発生した静電気を金属フレーム又は導電性樹脂フレームに逃がす手段として、ローラーの軸受け部材を導電性樹脂とし、ローラー軸と金属フレーム又は導電性樹脂フレームとを導電性のバネで接続し、自動壁紙糊付機内部に発生した静電気が予め定めた一定電圧以上に帯電した時に、その静電気を商用電源に逃がす手段を有し、上記手段として、金属フレーム又は導電性樹脂フレームと商用電源とをサージ吸収素子で接続されていることを特徴とする。このことにより、一定電圧以上に帯電した場合には、商用電源へ静電気を逃がすことにより、静電気の放電、放電時の音を防ぎ体裁の良い構成とすることができる。
【００２４】
また、発生した静電気を商用電源に逃がす手段が、金属フレーム又は導電性樹脂フレームと商用電源とをサージ吸収素子で接続することを特徴とするものであり、金属フレーム等と商用電源とを、サージ吸収素子を介して接続することにより、発生した静電気を一時蓄積し、予め定めた、ある一定電位以上帯電した時点で、サージ吸収素子で放電させ、静電気を商用電源へ逃がすことにより、作業者が現場の都合でアース線を接続できなくても、自動壁紙糊付機内部で発生する静電気をある一定電位以下に押さえ、自動壁紙糊付機内部の意図しない部分間での放電をなくし、作業者が静電気の放電による恐怖を感じることがなく、また、高電圧放電により制御部が誤動作することもない自動壁紙糊付機を得ることができる。
【００２５】
また、壁紙の裏面に糊を塗布する自動壁紙糊付機において、自動壁紙糊付機内部に発生した静電気を金属フレーム又は導電性樹脂フレームに逃がす手段を有することを特徴とするものであり、静電気発生部分とフレーム部分との電位差をなくし、静電気の放電を抑えることができる。
【００２６】
また、壁紙の搬送経路に設置された各ローラーに発生した静電気を金属フレーム又は導電性樹脂フレームに逃がす手段を有することを特徴としたものであり、壁紙の搬送経路に設置された各ローラーに発生した静電気を逃がすものである。
【００２７】
また、静電気を金属フレーム又は導電性樹脂フレームに逃がす手段として、ローラーの軸受け部材を導電性樹脂としたことを特徴としたものであり、軸受け部材を導電性樹脂としてフレームへ静電気を逃がすものである。
【００２８】
また、静電気を金属フレーム又は導電性樹脂フレームに逃がす手段として、ローラー軸と金属フレーム又は導電性樹脂フレームとを導電性のバネで接続したことを特徴としたものであり、導電性のバネで接続することによって静電気を逃がすものである。
【００２９】
以上の手段により、静電気が発生するローラーの軸受けに導電性の樹脂材料を使用すること、及び、各ローラーの軸に導電性のバネを接触させて、ローラーで発生した静電気を自動壁紙糊付機のフレームに逃がし、各ローラーとフレームとを同電位にすることにより各ローラーとフレームとの間での静電気の放電をなくすことを可能としている。
【００３０】
【発明の実施の形態】
図１に、糊付機のローラーに発生した静電気を商用電源（１５）まで逃がす方法を説明する。図１の×印（１）は、各ローラーに発生した静電気の経路への入り口（すなわち各ローラーの軸端から静電気が逃げること）を示し、黒丸印（２）は、経路が他の経路と合流すること（すなわち各ローラーの軸端から逃げた静電気が糊付機の金属フレームへ逃げること）を表し、矢印（３）は、静電気を逃がす方向（各ローラーの軸端から糊付機の金属フレームへ逃げる経路）を示している。
【００３１】
図１のハイテンションローラー（４）に発生した静電気を、商用電源（１５）まで逃がす場合について以下に説明する。壁紙（Ａ）とハイテンションローラー（４）により発生した静電気により、ハイテンションローラー（４）が帯電し始め、電位が高くなると、図４に示すハイテンションローラー軸（２５）からバネ３（２６）を経て、金属フレーム（１２）へ電荷が移動し、金属フレーム（１２）と、ハイテンションローラー（４）は同電位になる為、ハイテンションローラー軸（２５）と金属フレーム（１２）との間の放電は発生しない。この金属フレーム（１２）には、図１に示す様に、他のローラー、例えば、検尺ローラー（５）、押さえローラー（６）との間にも電荷を移動させる経路を設けているのである。その為に、金属フレーム（１２）と検尺ローラー（５）と押さえローラー（６）も同電位になり、自動壁紙糊付機内部で発生した静電気による自動壁紙糊付機内部の金属部品間での放電を発生させることなく、金属フレーム（１２）と各ローラーに溜まった電荷は、金属フレーム（１２）に設けた経路の入口（１）からアレスタ（１４）の内部を通って、商用電源（１５）へ逃がすことができる。
【００３２】
このアレスタ（１４）とは、両端の電圧の差、図１においては、アレスタ（１４）の左側と右側の電位差が小さい時はアレスタ（１４）の内部が絶縁状態であり、電位差が大きい時はその内部が放電状態になり、電位の高い方から低い方へ放電するという特徴を持っているものである。市販されているアレスタ（１４）には、電位差が数ｋＶになった時にその内部が放電状態になるものが多く、何Ｖで内部が放電状態になるかを放電開始電圧と称している。一般に、バリスタと呼ばれているものも、このアレスタ（１４）と同様である。
【００３３】
放電開始電圧が何Ｖのアレスタ（１４）を使用するかは、発生する静電気の電圧が何Ｖかと、使用する商用電源が何Ｖであるかと、何Ｖ以下の放電ならば制御部が誤動作しないかと、何Ｖ以下の放電ならば作業者が恐怖を感じないか、という４つの要素から決定すれば良いのである。
【００３４】
本実施例では、放電開始電圧が約２．４ｋＶのアレスタ（１４）を使用し、商用電源（１５）は１００Ｖを使用しているので、各ローラーと金属フレーム（１２）が約２．４ｋＶに帯電した時に、アレスタ（１４）の内部で放電が起こり、電位の低い方、つまり、商用電源（１５）へ静電気を逃がすことができる。
【００３５】
このアレスタ（１４）を配置する場所についてであるが、アレスタ（１４）の内部であるとはいえ、数ｋＶもの放電により電磁ノイズが発生する為、アレスタ（１４）は糊付機の制御部（１３）から極力離れた位置に設けて誤作動の対策を考慮しておくことが望ましい。
【００３６】
次に、駆動源の駆動が伝達されて回転しているローラーに溜まった静電気を逃がす為の経路を設ける例を、図２、図３に示す。図２は、糊付機のローラーの配置を上から見た図であり、図３は側面から見た図である。
【００３７】
検尺ローラー（５）は、ゴムローラーであり非常に静電気を発生するローラーである。検尺ローラー軸（２０）を中心に回転し、検尺ローラー軸受け（１９）に軸受けされ、検尺ローラー軸受け支点（２１）を回動中心として、壁紙の表面の凹凸に応じて上下に動く構造となっている。検尺ローラー軸受け（１９）に導電性樹脂、例えば、カーボン入り樹脂等を使用し、検尺ローラー（５）に発生した静電気をバネ１（１７）を経て金属フレーム（１２）に伝える。また、導電性樹脂の検尺ローラー軸受け（１９）から検尺ローラー軸受け支点（２１）金属フレーム（１２）にも静電気を伝える。
【００３８】
図３の押えローラー軸（２３）、押えローラー軸受け（２２）、バネ２（１８）による方法でも同様の効果が得られる。すなわち、押えローラー（６）に溜まった静電気は、押えローラ軸（２３）、押えローラー軸受け（２２）を通って押えローラー軸受け（２２）自体とバネ２（１８）から金属フレーム（１２）へ逃げるのである。
【００３９】
また、図１では、壁紙（Ａ）に接触する全てのローラーに発生した静電気を逃がす為の経路を設けているが、各ローラーの材質と壁紙（Ａ）の材質により発生する静電気の量も変わるので、静電気の発生する量が少ないローラーには、必ずしも静電気を逃がす為の経路を設ける必要はないのである。
【００４０】
例示をするなら、糊付ローラー（８）は、糊付作業の際は糊が付着しているため、静電気が発生しても糊中を伝わって糊箱（３１）そして金属フレーム（１２）へと静電気は逃げる。そのため必ずしも静電気の経路を設けなくてもよい。ナラシローラーも糊中（糊を塗布された壁紙の裏面の糊から糊付ローラーへと）を伝わるため糊付ローラー（８）と同様である。
【００４１】
上記の説明で明らかなように、回転する各ローラーに静電気を逃がすためのアース用の部材を新たに取り付ける必要がなく確実にかつ体裁よく構成することができる。また糊付機のフレームは金属でなく導電性を持った樹脂で構成してもよい。金属フレーム（１２）は、従来より上部と下部に開閉可能となっている。しかし、開閉のための蝶番やパチン錠等で電気的にはつながっていることを補足として説明しておく。
【００４２】
【発明の効果】
この様に、各ローラーで発生した静電気を金属フレーム（１２）に逃がす経路を設け、各ローラーと、金属フレーム（１２）とを同電位にすることにより、各ローラーと、金属フレーム（１２）との間での静電気の放電をなくす。さらに、作業者が現場の都合でアース線を接続できない場合でも、発生した静電気によって、各ローラーと金属フレーム（１２）が、予め定めたある一定電位以上になれば、溜まった電荷（静電気）を商用電源に逃がすことができるため、静電気の放電で作業者が恐怖を感じることなく、そして制御部の誤動作もない自動壁紙糊付機を得ることができる。
【図面の簡単な説明】
【図１】静電気を逃がす経路の説明図
【図２】ローラーの配置の簡単な説明図
【図３】ローラーに静電気経路を設ける方法の説明図
【図４】ローラーに静電気経路を設ける方法の説明図
【図５】従来の自動糊付機の構成を示す説明図
【符号の説明】
Ａ    壁紙
１    経路の入口
２    経路の合流点
３    静電気を逃がす方向
４    ハイテンションローラー
５    検尺ローラー
６    押さえローラー
７    ナラシローラー
８    糊付ローラー
９    糊あげローラー
１０  ドクターローラー
１１  送出しローラー
１２  自動壁紙糊付機の金属フレーム
１３  自動壁紙糊付機の制御部
１４  アレスタ
１５  商用電源
１６  自動壁紙糊付機
１７  バネ１
１８  バネ２
１９  検尺ローラー軸受け
２０  検尺ローラー軸
２１  検尺ローラー軸受け支点
２２  押えローラー軸受け
２３  押えローラー軸
２４  ハイテンションローラー軸受け
２５  ハイテンションローラー軸
３０  カッターガイド
３１  糊箱
【図１】
0004590622.tif 000002
【図２】
0004590622.tif 000003
【図３】
0004590622.tif 000004
【図４】
0004590622.tif 000005
【図５】
0004590622.tif 000006